【事件の表示】
　特願２０１７−５１８４０１「アカウントと機器との間の制御関係を管理するための方法，装置，システム，プログラム及び記録媒体」拒絶査定不服審判事件〔平成２８年１１月２４日国際公開，ＷＯ２０１６／１８３９９２，平成２９年　８月３１日国内公表，特表２０１７−５２５０６７〕について，次のとおり審決する。
【結　論】
　本件審判の請求は，成り立たない。
【理　由】
第１．手続の経緯
　本願は，２０１５年９月２３日（パリ条約による優先権主張外国庁受理２０１５年５月２１日　中華人民共和国）を国際出願日とする出願であって，
　平成２７年１１月２０日付けで特許法第１８４条の４第１項の規定による明細書，請求の範囲，及び，図面（図面の中の説明に限る）の日本語による翻訳文が提出され，同日付けで審査請求がなされると共に手続補正がなされ，平成２９年７月２７日付けで審査官により拒絶理由が通知され，これに対して平成２９年１０月２５日付けで意見書が提出されると共に手続補正がなされたが，平成３０年３月１３日付けで審査官により拒絶査定がなされ，これに対して平成３０年７月５日付けで審判請求がなされると共に手続補正がなされ，平成３０年８月２２日付けで審査官により特許法第１６４条第３項の規定に基づく報告がなされたものである。
　
第２．平成３０年７月５日付けの手続補正の却下の決定
　
　［補正却下の決定の結論］
　
　平成３０年７月５日付け手続補正を却下する。
　
　［理由］
　
１．補正の内容
　平成３０年７月５日付けの手続補正（以下，「本件手続補正」という）により，平成２９年１０月２５日付けの手続補正により補正された特許請求の範囲，
「　【請求項１】
　アカウントと機器との間の制御関係を管理するための方法であって，
　サーバに，目標機器の機器識別子と，前記目標機器がバインディングしたメイン制御アカウントに対応する第２アカウント識別子との間のバインディング関係を予め保存するステップと，
　第１端末が送信した機器バインディング要求であって，目標機器がブロードキャストした前記目標機器の機器識別子及び前記第１端末のログインアカウントの第１アカウント識別子が付加された機器バインディング要求を受信するステップと，
　受信した前記機器バインディング要求に付加された前記目標機器の機器識別子に基づいて，前記目標機器にバインディングされたメイン制御アカウントに対応する第２アカウント識別子を特定するステップと，
　前記第２アカウント識別子に対応するアカウントを用いてログインした第２端末に，前記第１アカウント識別子及び前記機器識別子が付加されたバインディング問合せメッセージを送信するステップと，
　前記バインディング問合せメッセージに対応する，前記第２端末が送信した第１確認メッセージを受信した場合，前記第１アカウント識別子に対応するアカウントを前記目標機器の補助制御アカウントとして記録するステップと
　を含むことを特徴とする方法。
　　【請求項２】
　前記バインディング問合せメッセージに対応する，前記第２端末が送信した第１確認メッセージを受信した場合には，前記第１端末に前記機器バインディング要求に対するバインディング成功通知メッセージを送信し，前記バインディング問合せメッセージを送信してから所定の期間内に前記第２端末が送信した前記第１確認メッセージを受信されなかったか，或いは，前記バインディング問合せメッセージに対応する，前記第２端末が送信した第２確認メッセージを受信した場合には，前記第１端末に前記機器バインディング要求に対するバインディング失敗通知メッセージを送信するステップ
　をさらに含むことを特徴とする請求項１に記載の方法。
　　【請求項３】
　前記機器バインディング要求内には，前記目標機器に対する複数の制御権限の中の少なくとも一つの制御権限がさらに付加されており，前記バインディング問合せメッセージ内には，前記目標機器に対する複数の制御権限の中の少なくとも一つの制御権限がさらに付加されている
　ことを特徴とする請求項１に記載の方法。
　　【請求項４】
　前記第１端末が送信した前記目標機器に対する制御要求であって，前記第１アカウント識別子，前記目標機器の機器識別子及び制御パラメータ情報が付加された制御要求を受信するステップと，
　ローカル記録に基づいて前記第１アカウント識別子に対応するアカウントが前記目標機器の補助制御アカウントであることが特定された場合，前記制御パラメータ情報に基づいて前記目標機器に制御メッセージを送信して，前記目標機器が前記制御メッセージに対応する処理を実行するようにするステップと
　をさらに含むことを特徴とする請求項１に記載の方法。
　　【請求項５】
　前記確認メッセージ内には，前記目標機器に対する複数の制御権限の中の少なくとも一つの制御権限が付加されており，
　前記方法は，
　前記第１アカウント識別子に対応するアカウントが，前記目標機器に対する制御権限の中の前記少なくとも一つの制御権限を有することを記録するステップ
　をさらに含むことを特徴とする請求項１に記載の方法。
　　【請求項６】
　前記機器バインディング要求内には，前記目標機器にバインディングされたメイン制御アカウントに対応する第２アカウント識別子がさらに付加されており，
　前記目標機器にバインディングされたメイン制御アカウントに対応する第２アカウント識別子を特定するステップは，前記機器バインディング要求内に付加された前記第２アカウント識別子を取得するステップを含む
　ことを特徴とする請求項１に記載の方法。
　　【請求項７】
　前記目標機器にバインディングされたメイン制御アカウントに対応する第２アカウント識別子を特定するステップは，
　ローカルに予め保存した前記目標機器のメイン制御アカウントに対応する第２アカウント識別子を取得するステップを含む
　ことを特徴とする請求項１に記載の方法。
　　【請求項８】
　アカウントと機器との間の制御関係を管理するための方法であって，
　目標機器がブロードキャストした通知メッセージであって，前記目標機器の機器識別子が付加された通知メッセージを受信するステップと，
　前記目標機器のバインディング提示を表示するステップと，
　前記目標機器に対するバインディング命令を受信した場合，目標機器の機器識別子と，前記目標機器がバインディングしたメイン制御アカウントに対応する第２アカウント識別子との間のバインディング関係を予め保存しているサーバに前記目標機器の機器識別子及びローカルのログインアカウントの第１アカウント識別子が付加された機器バインディング要求を送信するステップと
　を含み，
　前記サーバでは，
　受信した前記機器バインディング要求に付加された前記目標機器の機器識別子に基づいて，前記目標機器にバインディングされたメイン制御アカウントに対応する第２アカウント識別子を特定し，
　前記第２アカウント識別子に対応するアカウントを用いてログインした第２端末に，前記第１アカウント識別子及び前記機器識別子が付加されたバインディング問合せメッセージを送信し，
　前記バインディング問合せメッセージに対応する，前記第２端末が送信した第１確認メッセージを受信した場合，前記第１アカウント識別子に対応するアカウントを前記目標機器の補助制御アカウントとして記録することを特徴とする方法。
　　【請求項９】
　前記サーバが送信した前記機器バインディング要求に対するバインディング成功通知メッセージ，又は，バインディング失敗通知メッセージを受信するステップ
　をさらに含むことを特徴とする請求項８に記載の方法。
　　【請求項１０】
　前記機器バインディング要求内には，前記目標機器に対する複数の制御権限の中の少なくとも一つの制御権限がさらに付加されている
　ことを特徴とする請求項８に記載の方法。
　　【請求項１１】
　前記サーバに，前記目標機器に対する制御要求であって，前記第１アカウント識別子，前記目標機器の機器識別子及び制御パラメータ情報が付加された制御要求を送信するステップ
　をさらに含むことを特徴とする請求項８に記載の方法。
　　【請求項１２】
　前記通知メッセージ内には，前記目標機器の機器種類がさらに付加されており，
　前記目標機器のバインディング提示を表示するステップは，前記目標機器の機器種類が含まれたバインディング提示を表示するステップを含む
　ことを特徴とする請求項８に記載の方法。
　　【請求項１３】
　前記通知メッセージ内には，前記目標機器にバインディングされたメイン制御アカウントに対応する第２アカウント識別子がさらに付加されており，前記機器バインディング要求内には，前記第２アカウント識別子さらに付加されている
　ことを特徴とする請求項８に記載の方法。
　　【請求項１４】
　目標機器の機器識別子と，前記目標機器がバインディングしたメイン制御アカウントに対応する第２アカウント識別子との間のバインディング関係を予め保存する保存モジュールと，
　第１端末が送信した機器バインディング要求であって，目標機器がブロードキャストした前記目標機器の機器識別子及び前記第１端末のログインアカウントの第１アカウント識別子が付加された機器バインディング要求を受信するための受信モジュールと，
　受信した前記機器バインディング要求に付加された前記目標機器の機器識別子に基づいて，前記目標機器にバインディングされたメイン制御アカウントに対応する第２アカウント識別子を特定するための特定モジュールと，
　前記第２アカウント識別子に対応するアカウントを用いてログインした第２端末に，前記第１アカウント識別子及び前記機器識別子が付加されたバインディング問合せメッセージを送信するための送信モジュールと，
　前記バインディング問合せメッセージに対応する，前記第２端末が送信した第１確認メッセージを受信した場合，前記第１アカウント識別子に対応するアカウントを前記目標機器の補助制御アカウントとして記録するための記録モジュールと
　を備えることを特徴とするサーバ。
　　【請求項１５】
　前記送信モジュールは，さらに，前記バインディング問合せメッセージに対応する，前記第２端末が送信した第１確認メッセージを受信した場合には，前記第１端末に前記機器バインディング要求に対するバインディング成功通知メッセージを送信し，前記バインディング問合せメッセージを送信してから所定の期間内に前記第２端末が送信した前記第１確認メッセージを受信されなかったか，或いは，前記バインディング問合せメッセージに対応する，前記第２端末が送信した第２確認メッセージを受信した場合には，前記第１端末に前記機器バインディング要求に対するバインディング失敗通知メッセージを送信する　ことを特徴とする請求項１４に記載のサーバ。
　　【請求項１６】
　前記機器バインディング要求内には，前記目標機器に対する複数の制御権限の中の少なくとも一つの制御権限がさらに付加されており，前記バインディング問合せメッセージ内には，前記目標機器に対する複数の制御権限の中の少なくとも一つの制御権限がさらに付加されている
　ことを特徴とする請求項１４に記載のサーバ。
　　【請求項１７】
　前記受信モジュールは，さらに，前記第１端末が送信した前記目標機器に対する制御要求であって，前記第１アカウント識別子，前記目標機器の機器識別子及び制御パラメータ情報が付加された制御要求を受信し，
　前記送信モジュールは，さらに，ローカル記録に基づいて前記第１アカウント識別子に対応するアカウントが前記目標機器の補助制御アカウントであることが特定された場合，前記制御パラメータ情報に基づいて前記目標機器に制御メッセージを送信して，前記目標機器が前記制御メッセージに対応する処理を実行するようにする
　ことを特徴とする請求項１４に記載のサーバ。
　　【請求項１８】
　前記確認メッセージ内には，前記目標機器に対する複数の制御権限の中の少なくとも一つの制御権限が付加されており，
　前記記録モジュールは，さらに，前記第１アカウント識別子に対応するアカウントが，前記目標機器に対する制御権限の中の前記少なくとも一つの制御権限を有することを記録する
　ことを特徴とする請求項１４に記載のサーバ。
　　【請求項１９】
　前記機器バインディング要求内には，前記目標機器にバインディングされたメイン制御アカウントに対応する第２アカウント識別子がさらに付加されており，
　前記特定モジュールは，前記機器バインディング要求内に付加された前記第２アカウント識別子を取得する
　ことを特徴とする請求項１４に記載のサーバ。
　　【請求項２０】
　前記特定モジュールは，ローカルに予め保存した前記目標機器のメイン制御アカウントに対応する第２アカウント識別子を取得する
　ことを特徴とする請求項１４に記載のサーバ。
　　【請求項２１】
　目標機器がブロードキャストした通知メッセージであって，前記目標機器の機器識別子が付加された通知メッセージを受信するための受信モジュールと，
　前記目標機器のバインディング提示を表示するための表示モジュールと，
　前記目標機器に対するバインディング命令を受信した場合，目標機器の機器識別子と，前記目標機器がバインディングしたメイン制御アカウントに対応する第２アカウント識別子との間のバインディング関係を予め保存するサーバに前記目標機器の機器識別子及びローカルのログインアカウントの第１アカウント識別子が付加された機器バインディング要求を送信するための送信モジュールと
　を備え，
　前記サーバでは，
　受信した前記機器バインディング要求に付加された前記目標機器の機器識別子に基づいて，前記目標機器にバインディングされたメイン制御アカウントに対応する第２アカウント識別子を特定し，
　前記第２アカウント識別子に対応するアカウントを用いてログインした第２端末に，前記第１アカウント識別子及び前記機器識別子が付加されたバインディング問合せメッセージを送信し，
　前記バインディング問合せメッセージに対応する，前記第２端末が送信した第１確認メッセージを受信した場合，前記第１アカウント識別子に対応するアカウントを前記目標機器の補助制御アカウントとして記録することを特徴とする端末。
　　【請求項２２】
　前記受信モジュールは，さらに，前記サーバが送信した前記機器バインディング要求に対するバインディング成功通知メッセージ，又は，バインディング失敗通知メッセージを受信する
　ことを特徴とする請求項２１に記載の端末。
　　【請求項２３】
　前記機器バインディング要求内には，前記目標機器に対する複数の制御権限の中の少なくとも一つの制御権限がさらに付加されている
　ことを特徴とする請求項２１に記載の端末。
　　【請求項２４】
　前記送信モジュールは，さらに，前記サーバに，前記目標機器に対する制御要求であって，前記第１アカウント識別子，前記目標機器の機器識別子及び制御パラメータ情報が付加された制御要求を送信する
　ことを特徴とする請求項２１に記載の端末。
　　【請求項２５】
　前記通知メッセージ内には，前記目標機器の機器種類がさらに付加されており，
　前記表示モジュールは，前記目標機器の機器種類が含まれたバインディング提示を表示する
　ことを特徴とする請求項２１に記載の端末。
　　【請求項２６】
　前記通知メッセージ内には，前記目標機器にバインディングされたメイン制御アカウントに対応する第２アカウント識別子がさらに付加されており，前記機器バインディング要求内には，前記第２アカウント識別子がさらに付加されている
　ことを特徴とする請求項２１に記載の端末。
　　【請求項２７】
　アカウントと機器との間の制御関係を管理するための装置であって，
　プロセッサと，
　前記プロセッサが実行可能な命令を記憶するためのメモリと
　を備え，
　前記プロセッサは，
　サーバに，目標機器の機器識別子と，前記目標機器がバインディングしたメイン制御アカウントに対応する第２アカウント識別子との間のバインディング関係を予め保存し，
　第１端末が送信した機器バインディング要求であって，目標機器がブロードキャストした前記目標機器の機器識別子及び前記第１端末のログインアカウントの第１アカウント識別子が付加された機器バインディング要求を受信し，
　受信した前記機器バインディング要求に付加された前記目標機器の機器識別子に基づいて，前記目標機器にバインディングされたメイン制御アカウントに対応する第２アカウント識別子を特定し，
　前記第２アカウント識別子に対応するアカウントを用いてログインした第２端末に，前記第１アカウント識別子及び前記機器識別子が付加されたバインディング問合せメッセージを送信し，
　前記バインディング問合せメッセージに対応する，前記第２端末が送信した第１確認メッセージを受信した場合，前記第１アカウント識別子に対応するアカウントを前記目標機器の補助制御アカウントとして記録するように構成される
　ことを特徴とする装置。
　　【請求項２８】
　アカウントと機器との間の制御関係を管理するための装置であって，
　プロセッサと，
　前記プロセッサが実行可能な命令を記憶するためのメモリと
　を備え，
　前記プロセッサは，
　目標機器がブロードキャストした通知メッセージであって，前記目標機器の機器識別子が付加された通知メッセージを受信し，
　前記目標機器のバインディング提示を表示し，
　前記目標機器に対するバインディング命令を受信した場合，目標機器の機器識別子と，前記目標機器がバインディングしたメイン制御アカウントに対応する第２アカウント識別子との間のバインディング関係を予め保存するサーバに前記目標機器の機器識別子及びローカルのログインアカウントの第１アカウント識別子が付加された機器バインディング要求を送信するように構成され，
　前記サーバでは，
　受信した前記機器バインディング要求に付加された前記目標機器の機器識別子に基づいて，前記目標機器にバインディングされたメイン制御アカウントに対応する第２アカウント識別子を特定し，
　前記第２アカウント識別子に対応するアカウントを用いてログインした第２端末に，前記第１アカウント識別子及び前記機器識別子が付加されたバインディング問合せメッセージを送信し，
　前記バインディング問合せメッセージに対応する，前記第２端末が送信した第１確認メッセージを受信した場合，前記第１アカウント識別子に対応するアカウントを前記目標機器の補助制御アカウントとして記録する
　ことを特徴とする装置。
　　【請求項２９】
　アカウントと機器との間の制御関係を管理するためのシステムであって，
　前記システムは，サーバ，第１端末及び第２端末を含み，
　前記第１端末は，目標機器がブロードキャストした通知メッセージであって，前記目標機器の機器識別子が付加された通知メッセージを受信し，前記目標機器のバインディング提示を表示し，前記目標機器に対するバインディング命令を受信した場合，サーバに前記目標機器の機器識別子及びローカルのログインアカウントの第１アカウント識別子が付加された機器バインディング要求を送信し，
　前記サーバは，目標機器の機器識別子と，前記目標機器がバインディングしたメイン制御アカウントに対応する第２アカウント識別子との間のバインディング関係を予め保存し，第１端末が送信した機器バインディング要求を受信し，受信した前記機器バインディング要求に付加された前記目標機器の機器識別子に基づいて，前記目標機器にバインディングされたメイン制御アカウントに対応する第２アカウント識別子を特定し，前記第２アカウント識別子に対応するアカウントを用いてログインした第２端末に，前記第１アカウント識別子及び前記機器識別子が付加されたバインディング問合せメッセージを送信し，前記バインディング問合せメッセージに対応する，前記第２端末が送信した第１確認メッセージを受信した場合，前記第１アカウント識別子に対応するアカウントを前記目標機器の補助制御アカウントとして記録する
　ことを特徴とするシステム。
　　【請求項３０】
　プロセッサに実行されることにより，請求項１から請求項１４のいずれか１項に記載のアカウントと機器との間の制御関係を管理するための方法を実現することを特徴とするプログラム。
　　【請求項３１】
　請求項３０に記載のプログラムが記録された記録媒体。」（以下，上記引用の請求項各項を，「補正前の請求項」という）は，
「　【請求項１】
　アカウントと機器との間の制御関係を管理するための方法であって，
　サーバに，目標機器の機器識別子と，前記目標機器がバインディングしたメイン制御アカウントに対応する第２アカウント識別子との間のバインディング関係を予め保存するステップと，
　第１端末が送信した機器バインディング要求であって，目標機器がブロードキャストした前記目標機器の機器識別子及び前記第１端末のログインアカウントの第１アカウント識別子が付加された機器バインディング要求を受信するステップと，
　受信した前記機器バインディング要求に付加された前記目標機器の機器識別子に基づいて，前記目標機器にバインディングされたメイン制御アカウントに対応する第２アカウント識別子を特定するステップと，
　前記第２アカウント識別子に対応するアカウントを用いてログインした第２端末に，前記第１アカウント識別子及び前記機器識別子が付加されたバインディング問合せメッセージを送信するステップと，
　前記バインディング問合せメッセージに対応する，前記第２端末が送信した第１確認メッセージを受信した場合，前記第１アカウント識別子に対応するアカウントを前記目標機器の補助制御アカウントとして記録するステップと
　を含み，
　前記機器バインディング要求内には，前記目標機器に対する複数の制御権限の中の少なくとも一つの制御権限がさらに付加されており，前記バインディング問合せメッセージ内には，前記目標機器に対する複数の制御権限の中の少なくとも一つの制御権限がさらに付加されていることを特徴とする方法。
　　【請求項２】
　前記バインディング問合せメッセージに対応する，前記第２端末が送信した第１確認メッセージを受信した場合には，前記第１端末に前記機器バインディング要求に対するバインディング成功通知メッセージを送信し，前記バインディング問合せメッセージを送信してから所定の期間内に前記第２端末が送信した前記第１確認メッセージを受信されなかったか，或いは，前記バインディング問合せメッセージに対応する，前記第２端末が送信した第２確認メッセージを受信した場合には，前記第１端末に前記機器バインディング要求に対するバインディング失敗通知メッセージを送信するステップ
　をさらに含むことを特徴とする請求項１に記載の方法。
　　【請求項３】
　前記第１端末が送信した前記目標機器に対する制御要求であって，前記第１アカウント識別子，前記目標機器の機器識別子及び制御パラメータ情報が付加された制御要求を受信するステップと，
　ローカル記録に基づいて前記第１アカウント識別子に対応するアカウントが前記目標機器の補助制御アカウントであることが特定された場合，前記制御パラメータ情報に基づいて前記目標機器に制御メッセージを送信して，前記目標機器が前記制御メッセージに対応する処理を実行するようにするステップと
　をさらに含むことを特徴とする請求項１に記載の方法。
　　【請求項４】
　前記確認メッセージ内には，前記目標機器に対する複数の制御権限の中の少なくとも一つの制御権限が付加されており，
　前記方法は，
　前記第１アカウント識別子に対応するアカウントが，前記目標機器に対する制御権限の中の前記少なくとも一つの制御権限を有することを記録するステップ
　をさらに含むことを特徴とする請求項１に記載の方法。
　　【請求項５】
　前記機器バインディング要求内には，前記目標機器にバインディングされたメイン制御アカウントに対応する第２アカウント識別子がさらに付加されており，
　前記目標機器にバインディングされたメイン制御アカウントに対応する第２アカウント識別子を特定するステップは，前記機器バインディング要求内に付加された前記第２アカウント識別子を取得するステップを含む
　ことを特徴とする請求項１に記載の方法。
　　【請求項６】
　前記目標機器にバインディングされたメイン制御アカウントに対応する第２アカウント識別子を特定するステップは，
　ローカルに予め保存した前記目標機器のメイン制御アカウントに対応する第２アカウント識別子を取得するステップを含む
　ことを特徴とする請求項１に記載の方法。
　　【請求項７】
　アカウントと機器との間の制御関係を管理するための方法であって，
　目標機器がブロードキャストした通知メッセージであって，前記目標機器の機器識別子が付加された通知メッセージを受信するステップと，
　前記目標機器のバインディング提示を表示するステップと，
　前記目標機器に対するバインディング命令を受信した場合，目標機器の機器識別子と，前記目標機器がバインディングしたメイン制御アカウントに対応する第２アカウント識別子との間のバインディング関係を予め保存しているサーバに前記目標機器の機器識別子及びローカルのログインアカウントの第１アカウント識別子が付加された機器バインディング要求を送信するステップと
　を含み，
　前記サーバでは，
　受信した前記機器バインディング要求に付加された前記目標機器の機器識別子に基づいて，前記目標機器にバインディングされたメイン制御アカウントに対応する第２アカウント識別子を特定し，
　前記第２アカウント識別子に対応するアカウントを用いてログインした第２端末に，前記第１アカウント識別子及び前記機器識別子が付加されたバインディング問合せメッセージを送信し，
　前記バインディング問合せメッセージに対応する，前記第２端末が送信した第１確認メッセージを受信した場合，前記第１アカウント識別子に対応するアカウントを前記目標機器の補助制御アカウントとして記録し，
　前記機器バインディング要求内には，前記目標機器に対する複数の制御権限の中の少なくとも一つの制御権限がさらに付加されており，前記バインディング問合せメッセージ内には，前記目標機器に対する複数の制御権限の中の少なくとも一つの制御権限がさらに付加されていることを特徴とする方法。
　　【請求項８】
　前記サーバが送信した前記機器バインディング要求に対するバインディング成功通知メッセージ，又は，バインディング失敗通知メッセージを受信するステップ
　をさらに含むことを特徴とする請求項７に記載の方法。
　　【請求項９】
　前記サーバに，前記目標機器に対する制御要求であって，前記第１アカウント識別子，
前記目標機器の機器識別子及び制御パラメータ情報が付加された制御要求を送信するステップ
　をさらに含むことを特徴とする請求項７に記載の方法。
　　【請求項１０】
　前記通知メッセージ内には，前記目標機器の機器種類がさらに付加されており，
　前記目標機器のバインディング提示を表示するステップは，前記目標機器の機器種類が含まれたバインディング提示を表示するステップを含む
　ことを特徴とする請求項７に記載の方法。
　　【請求項１１】
　前記通知メッセージ内には，前記目標機器にバインディングされたメイン制御アカウントに対応する第２アカウント識別子がさらに付加されており，前記機器バインディング要求内には，前記第２アカウント識別子さらに付加されている
　ことを特徴とする請求項７に記載の方法。
　　【請求項１２】
　目標機器の機器識別子と，前記目標機器がバインディングしたメイン制御アカウントに対応する第２アカウント識別子との間のバインディング関係を予め保存する保存モジュールと，
　第１端末が送信した機器バインディング要求であって，目標機器がブロードキャストした前記目標機器の機器識別子及び前記第１端末のログインアカウントの第１アカウント識別子が付加された機器バインディング要求を受信するための受信モジュールと，
　受信した前記機器バインディング要求に付加された前記目標機器の機器識別子に基づいて，前記目標機器にバインディングされたメイン制御アカウントに対応する第２アカウント識別子を特定するための特定モジュールと，
　前記第２アカウント識別子に対応するアカウントを用いてログインした第２端末に，前記第１アカウント識別子及び前記機器識別子が付加されたバインディング問合せメッセージを送信するための送信モジュールと，
　前記バインディング問合せメッセージに対応する，前記第２端末が送信した第１確認メッセージを受信した場合，前記第１アカウント識別子に対応するアカウントを前記目標機器の補助制御アカウントとして記録するための記録モジュールと
　を備え，
　前記機器バインディング要求内には，前記目標機器に対する複数の制御権限の中の少なくとも一つの制御権限がさらに付加されており，前記バインディング問合せメッセージ内には，前記目標機器に対する複数の制御権限の中の少なくとも一つの制御権限がさらに付加されていることを特徴とするサーバ。
　　【請求項１３】
　前記送信モジュールは，さらに，前記バインディング問合せメッセージに対応する，前記第２端末が送信した第１確認メッセージを受信した場合には，前記第１端末に前記機器バインディング要求に対するバインディング成功通知メッセージを送信し，前記バインディング問合せメッセージを送信してから所定の期間内に前記第２端末が送信した前記第１確認メッセージを受信されなかったか，或いは，前記バインディング問合せメッセージに対応する，前記第２端末が送信した第２確認メッセージを受信した場合には，前記第１端末に前記機器バインディング要求に対するバインディング失敗通知メッセージを送信する　ことを特徴とする請求項１２に記載のサーバ。
　　【請求項１４】
　前記受信モジュールは，さらに，前記第１端末が送信した前記目標機器に対する制御要求であって，前記第１アカウント識別子，前記目標機器の機器識別子及び制御パラメータ情報が付加された制御要求を受信し，
　前記送信モジュールは，さらに，ローカル記録に基づいて前記第１アカウント識別子に対応するアカウントが前記目標機器の補助制御アカウントであることが特定された場合，前記制御パラメータ情報に基づいて前記目標機器に制御メッセージを送信して，前記目標機器が前記制御メッセージに対応する処理を実行するようにする
　ことを特徴とする請求項１２に記載のサーバ。
　　【請求項１５】
　前記確認メッセージ内には，前記目標機器に対する複数の制御権限の中の少なくとも一つの制御権限が付加されており，
　前記記録モジュールは，さらに，前記第１アカウント識別子に対応するアカウントが，前記目標機器に対する制御権限の中の前記少なくとも一つの制御権限を有することを記録する
　ことを特徴とする請求項１２に記載のサーバ。
　　【請求項１６】
　前記機器バインディング要求内には，前記目標機器にバインディングされたメイン制御アカウントに対応する第２アカウント識別子がさらに付加されており，
　前記特定モジュールは，前記機器バインディング要求内に付加された前記第２アカウント識別子を取得する
　ことを特徴とする請求項１２に記載のサーバ。
　　【請求項１７】
　前記特定モジュールは，ローカルに予め保存した前記目標機器のメイン制御アカウントに対応する第２アカウント識別子を取得する
　ことを特徴とする請求項１２に記載のサーバ。
　　【請求項１８】
　目標機器がブロードキャストした通知メッセージであって，前記目標機器の機器識別子が付加された通知メッセージを受信するための受信モジュールと，
　前記目標機器のバインディング提示を表示するための表示モジュールと，
　前記目標機器に対するバインディング命令を受信した場合，目標機器の機器識別子と，前記目標機器がバインディングしたメイン制御アカウントに対応する第２アカウント識別子との間のバインディング関係を予め保存するサーバに前記目標機器の機器識別子及びローカルのログインアカウントの第１アカウント識別子が付加された機器バインディング要求を送信するための送信モジュールと
　を備え，
　前記サーバでは，
　受信した前記機器バインディング要求に付加された前記目標機器の機器識別子に基づいて，前記目標機器にバインディングされたメイン制御アカウントに対応する第２アカウント識別子を特定し，
　前記第２アカウント識別子に対応するアカウントを用いてログインした第２端末に，前記第１アカウント識別子及び前記機器識別子が付加されたバインディング問合せメッセージを送信し，
　前記バインディング問合せメッセージに対応する，前記第２端末が送信した第１確認メッセージを受信した場合，前記第１アカウント識別子に対応するアカウントを前記目標機器の補助制御アカウントとして記録し，
　前記機器バインディング要求内には，前記目標機器に対する複数の制御権限の中の少なくとも一つの制御権限がさらに付加されており，前記バインディング問合せメッセージ内には，前記目標機器に対する複数の制御権限の中の少なくとも一つの制御権限がさらに付加されていることを特徴とする端末。
　　【請求項１９】
　前記受信モジュールは，さらに，前記サーバが送信した前記機器バインディング要求に対するバインディング成功通知メッセージ，又は，バインディング失敗通知メッセージを受信する
　ことを特徴とする請求項１８に記載の端末。
　　【請求項２０】
　前記送信モジュールは，さらに，前記サーバに，前記目標機器に対する制御要求であって，前記第１アカウント識別子，前記目標機器の機器識別子及び制御パラメータ情報が付加された制御要求を送信する
　ことを特徴とする請求項１８に記載の端末。
　　【請求項２１】
　前記通知メッセージ内には，前記目標機器の機器種類がさらに付加されており，
　前記表示モジュールは，前記目標機器の機器種類が含まれたバインディング提示を表示する
　ことを特徴とする請求項１８に記載の端末。
　　【請求項２２】
　前記通知メッセージ内には，前記目標機器にバインディングされたメイン制御アカウントに対応する第２アカウント識別子がさらに付加されており，前記機器バインディング要求内には，前記第２アカウント識別子がさらに付加されている
　ことを特徴とする請求項１８に記載の端末。
　　【請求項２３】
　アカウントと機器との間の制御関係を管理するための装置であって，
　プロセッサと，
　前記プロセッサが実行可能な命令を記憶するためのメモリと
　を備え，
　前記プロセッサは，
　サーバに，目標機器の機器識別子と，前記目標機器がバインディングしたメイン制御アカウントに対応する第２アカウント識別子との間のバインディング関係を予め保存し，
　第１端末が送信した機器バインディング要求であって，目標機器がブロードキャストした前記目標機器の機器識別子及び前記第１端末のログインアカウントの第１アカウント識別子が付加された機器バインディング要求を受信し，
　受信した前記機器バインディング要求に付加された前記目標機器の機器識別子に基づいて，前記目標機器にバインディングされたメイン制御アカウントに対応する第２アカウント識別子を特定し，
　前記第２アカウント識別子に対応するアカウントを用いてログインした第２端末に，前記第１アカウント識別子及び前記機器識別子が付加されたバインディング問合せメッセージを送信し，
　前記バインディング問合せメッセージに対応する，前記第２端末が送信した第１確認メッセージを受信した場合，前記第１アカウント識別子に対応するアカウントを前記目標機器の補助制御アカウントとして記録するように構成され，
　前記機器バインディング要求内には，前記目標機器に対する複数の制御権限の中の少なくとも一つの制御権限がさらに付加されており，前記バインディング問合せメッセージ内には，前記目標機器に対する複数の制御権限の中の少なくとも一つの制御権限がさらに付加されていることを特徴とする装置。
　　【請求項２４】
　アカウントと機器との間の制御関係を管理するための装置であって，
　プロセッサと，
　前記プロセッサが実行可能な命令を記憶するためのメモリと
　を備え，
　前記プロセッサは，
　目標機器がブロードキャストした通知メッセージであって，前記目標機器の機器識別子が付加された通知メッセージを受信し，
　前記目標機器のバインディング提示を表示し，
　前記目標機器に対するバインディング命令を受信した場合，目標機器の機器識別子と，前記目標機器がバインディングしたメイン制御アカウントに対応する第２アカウント識別子との間のバインディング関係を予め保存するサーバに前記目標機器の機器識別子及びローカルのログインアカウントの第１アカウント識別子が付加された機器バインディング要求を送信するように構成され，
　前記サーバでは，
　受信した前記機器バインディング要求に付加された前記目標機器の機器識別子に基づいて，前記目標機器にバインディングされたメイン制御アカウントに対応する第２アカウント識別子を特定し，
　前記第２アカウント識別子に対応するアカウントを用いてログインした第２端末に，前記第１アカウント識別子及び前記機器識別子が付加されたバインディング問合せメッセージを送信し，
　前記バインディング問合せメッセージに対応する，前記第２端末が送信した第１確認メッセージを受信した場合，前記第１アカウント識別子に対応するアカウントを前記目標機器の補助制御アカウントとして記録し，
　前記機器バインディング要求内には，前記目標機器に対する複数の制御権限の中の少なくとも一つの制御権限がさらに付加されており，前記バインディング問合せメッセージ内には，前記目標機器に対する複数の制御権限の中の少なくとも一つの制御権限がさらに付加されていることを特徴とする装置。
　　【請求項２５】
　アカウントと機器との間の制御関係を管理するためのシステムであって，
　前記システムは，サーバ，第１端末及び第２端末を含み，
　前記第１端末は，目標機器がブロードキャストした通知メッセージであって，前記目標機器の機器識別子が付加された通知メッセージを受信し，前記目標機器のバインディング提示を表示し，前記目標機器に対するバインディング命令を受信した場合，サーバに前記目標機器の機器識別子及びローカルのログインアカウントの第１アカウント識別子が付加された機器バインディング要求を送信し，
　前記サーバは，目標機器の機器識別子と，前記目標機器がバインディングしたメイン制御アカウントに対応する第２アカウント識別子との間のバインディング関係を予め保存し，第１端末が送信した機器バインディング要求を受信し，受信した前記機器バインディング要求に付加された前記目標機器の機器識別子に基づいて，前記目標機器にバインディングされたメイン制御アカウントに対応する第２アカウント識別子を特定し，前記第２アカウント識別子に対応するアカウントを用いてログインした第２端末に，前記第１アカウント識別子及び前記機器識別子が付加されたバインディング問合せメッセージを送信し，前記バインディング問合せメッセージに対応する，前記第２端末が送信した第１確認メッセージを受信した場合，前記第１アカウント識別子に対応するアカウントを前記目標機器の補助制御アカウントとして記録し，
　前記機器バインディング要求内には，前記目標機器に対する複数の制御権限の中の少なくとも一つの制御権限がさらに付加されており，前記バインディング問合せメッセージ内には，前記目標機器に対する複数の制御権限の中の少なくとも一つの制御権限がさらに付加されていることを特徴とするシステム。
　　【請求項２６】
　プロセッサに実行されることにより，請求項１から請求項１１のいずれか１項に記載のアカウントと機器との間の制御関係を管理するための方法を実現することを特徴とするプログラム。
　　【請求項２７】
　請求項２６に記載のプログラムが記録された記録媒体。」（以下，上記引用の請求項各項を，「補正後の請求項」という）に補正された。
　
２．補正の適否
（１）新規事項，及び，目的要件について
　本件手続補正は，補正前の請求項３，同請求項１０，同請求項１６，及び，同請求項２３を削除し，補正前の請求項１，同請求項８，同請求項１４，同請求項２１，同請求項２７，同請求項２８，及び，同請求項２９に対して，限定的減縮を加えて，それぞれ，補正後の請求項１，同請求項７，同請求項１２，同請求項１８，同請求項２３，同請求項２４，及び，同請求項２５としたものであって，本件手続補正前に受けた拒絶理由通知において特許をすることができないものか否かについての判断が示された全ての発明と，本件手続補正により補正された請求項に係る発明とが，発明の単一性の要件を満たす一群の発明に該当するものであるから，特許法第１８４条の１２第２項により読み替える同法第１７条の２第３項〜第５項の規定を満たすものである。
　そこで，本件手続補正が，特許法第１７条の２第６項において準用する同法第１２６条第７項の規定を満たすものであるか否か，即ち，補正後の請求項に記載されている事項により特定される発明が特許出願の際独立して特許を受けることができるものであるか否か，以下に検討する。
　
（２）独立特許要件について
ア．本件補正発明
　補正後の請求項１８に係る発明（以下，これを「本件補正発明」という）は，上記「１．補正の内容」において引用した、次のとおりのものである。
　
「目標機器がブロードキャストした通知メッセージであって，前記目標機器の機器識別子が付加された通知メッセージを受信するための受信モジュールと，
　前記目標機器のバインディング提示を表示するための表示モジュールと，
　前記目標機器に対するバインディング命令を受信した場合，目標機器の機器識別子と，前記目標機器がバインディングしたメイン制御アカウントに対応する第２アカウント識別子との間のバインディング関係を予め保存するサーバに前記目標機器の機器識別子及びローカルのログインアカウントの第１アカウント識別子が付加された機器バインディング要求を送信するための送信モジュールと
　を備え，
　前記サーバでは，
　受信した前記機器バインディング要求に付加された前記目標機器の機器識別子に基づいて，前記目標機器にバインディングされたメイン制御アカウントに対応する第２アカウント識別子を特定し，
　前記第２アカウント識別子に対応するアカウントを用いてログインした第２端末に，前記第１アカウント識別子及び前記機器識別子が付加されたバインディング問合せメッセージを送信し，
　前記バインディング問合せメッセージに対応する，前記第２端末が送信した第１確認メッセージを受信した場合，前記第１アカウント識別子に対応するアカウントを前記目標機器の補助制御アカウントとして記録し，
　前記機器バインディング要求内には，前記目標機器に対する複数の制御権限の中の少なくとも一つの制御権限がさらに付加されており，前記バインディング問合せメッセージ内には，前記目標機器に対する複数の制御権限の中の少なくとも一つの制御権限がさらに付加されていることを特徴とする端末。」
　
イ．引用文献に記載の事項
（ア）原審における平成２９年７月２７日付けの拒絶理由（以下，これを「原審拒絶理由」という）に引用された，本願の第１国出願前に既に公知である，再公表特許第２０１３/１１１２４４号（国際公開日；２０１３年８月１日，以下，これを「引用文献１」という）には，関連する図面と共に，次の事項が記載されている。
　
Ａ．「【００４１】
　（実施の形態１）
　１．システムの構成 　図１は，実施の形態１における家電情報共有システム１の全体構成図である。図１に示すように，
家電情報共有システム１は，管理装置１０と，携帯端末２０と，携帯端末２１と，ＲＦＩＤタグ４０が実装された家電３０とを備える。携帯端末２０と携帯端末２１とは，同じ構成であり，例えば，近距離無線通信機能が搭載されたモバイル機器（例えば，携帯電話あるいはスマートフォンなど）である
【００４２】
　本実施の形態における近距離無線通信機能とは，例えば，１３．５６Ｍｈｚ帯の周波数を利用するＲＦＩＤ規格に規定されている通信機能である。ＲＦＩＤ規格は，ＩＳＯ　１４４４３　Ｔｙｐｅ　Ａ，ＩＳＯ　１４４４３　Ｔｙｐｅ　Ｂ，およびＩＳＯ　１５６９３に規定されている。また，近距離無線通信機能とは，それらのＲＦＩＤ規格を一括して扱えるように策定された近距離無線通信技術の国際標準規格であるＮＦＣ（Ｎｅａｒ　Ｆｉｅｌｄ　Ｃｏｍｕｎｉｃａｔｉｏｎ）規格であってもよい。以降，本実施の形態では，近距離無線通信機能によって実現される通信がＲＦＩＤ通信である場合について説明する。」
　
Ｂ．「【０１８８】
　図２３および図２４は，実施の形態４におけるマスターが登録されている場合の家電登録処理の流れを示すシーケンス図である。
【０１８９】
　ここでは，
家電３０に対し，携帯端末２０を持つユーザＡが既にマスターとして登録されており
【０１９０】
　携帯端末２１を使うユーザＢは，管理装置１０へのログインを行うために，ユーザＩＤとパスワードとを携帯端末２１に入力する。携帯端末２１は，入力されたユーザＩＤとパスワードとを管理装置１０へ送信する（Ｓ４１０１）。
【０１９１】
　携帯端末２１は，管理装置１０へ家電３０を登録するために，家電３０に対し，家電３０を識別するための機器ＩＤの読み出し要求を送信する（Ｓ４１０２）。家電３０は，携帯端末２１から機器ＩＤの読み出し要求を受信すると，記憶している機器ＩＤを携帯端末２１へ送信する（Ｓ４１０３）。
携帯端末２１は，家電３０から機器ＩＤを受信すると，家電登録のために，管理装置１０へ家電登録要求とともに機器ＩＤを送信する
【０１９２】
　次に，
管理装置１０の家電情報管理部１０３は，制御部１０２を介して携帯端末２１から家電登録要求を受信すると，家電情報リストを参照し，受信した機器ＩＤの家電に対してマスターが登録されているか否かを判断する
【０１９３】
　家電情報管理部１０３は，マスターが登録されていないと判断した場合（Ｓ４１０５でＮ），ユーザＢをマスターとして家電情報リストに家電の登録を行う（Ｓ４１０６）。
ここでは，既にユーザＡがマスターとして登録されているため（Ｓ４１０５でＹ），家電情報管理部１０３は，マスターへ家電の登録許可を確認する
【０１９４】
　つまり，
家電情報管理部１０３は，家電の登録依頼と，登録依頼をしているユーザＢの識別情報とを携帯端末２０へ送信する
ユーザの識別情報は，ユーザのユーザＩＤでもよいし，ユーザのメールアドレスなどでもよい
【０１９５】
　登録依頼を受信した携帯端末２０を持つユーザＡは，管理装置１０へのログインを行うために，ユーザＩＤとパスワードとを携帯端末２０のデータ入力部２０５を介して入力する。そして，携帯端末２０の制御部２０３は，入力されたユーザＩＤとパスワードとを通信部２０１を介して管理装置１０へ送信する（Ｓ４１０９）。
【０１９６】
　次に，ユーザＡは，受信したユーザの識別情報から特定したユーザの家電登録を許可するか否かを判断する（Ｓ４１１０）。つまり，携帯端末２０は，表示部２０４にユーザＢの家電登録を許可するか否かを確認する画面を表示し，ユーザＡのデータ入力部２０５からの入力によって，ユーザＢの家電登録を許可するか否かを判断する。
【０１９７】
　そして，携帯端末２０の制御部２０３は，ユーザＡがユーザＢの家電登録を拒否したと判断した場合（Ｓ４１１０でＮ），登録拒否を登録依頼結果として管理装置１０へ通知する（Ｓ４１１１）。
【０１９８】
　また，
携帯端末２０の制御部２０３は，ユーザＡがユーザＢの家電登録を許可すると判断した場合（Ｓ４１１０でＹ），登録許可を登録依頼結果として管理装置１０へ通知する
【０１９９】
　管理装置１０の制御部１０２は，受信した登録依頼結果を携帯端末２１へ送信する（Ｓ４１１３）。また，
当該登録依頼結果が登録を許可することを示す場合（Ｓ４１１０でＹ），管理装置１０の家電情報管理部１０３は，ユーザＢの家電３０を家電情報リストに登録する
【０２００】
　以上のように，家電情報管理部１０３は，家電機器の識別情報（機器ＩＤ）を家電情報保持部１０５に記憶させる際に，家電機器の識別情報に紐付けられた第１のユーザ（ユーザＡ）を家電情報保持部１０５に記憶させる。また，家電情報管理部１０３は，第２のユーザ（ユーザＢ）に紐付けて家電機器の識別情報を家電情報保持部１０５に記憶させる際に，第１のユーザへ登録の可否を問い合わせるために第２のユーザを識別するユーザ識別情報を送信する。そして，家電情報管理部１０３は，第１のユーザからの登録許可を受信した場合にのみ，第２のユーザのユーザ識別情報を家電機器の識別情報に紐付けて家電情報保持部１０５に記憶させる。
【０２０１】
　１６．効果
　上記実施の形態により，家電に対して，マスターを設定し，マスターが承認したユーザにのみ，家電登録処理ができる。マスターが承認していない第三者は家電登録処理をできないため，第三者が勝手に家電登録処理を実行して，家電履歴情報を不正に取得することも防止している。つまり，本実施の形態によれば，家電履歴情報を第三者と共有することなく，マスターが承認したユーザのみと共有することで，家電履歴情報などのプライバシ情報の漏洩を防止しつつ，家電情報を共有することができる。」
　
Ｃ．「
」
　
Ｄ．「
」
　
Ｅ．「
」
　
Ｆ．「
」
　
（イ）原審拒絶理由に引用された，本願の第１国出願前に既に公知である，特開２０１４−１６７６９４号公報（２０１４年９月１１日公開，以下，これを「引用文献２」という）には，関連する図面と共に，次の事項が記載されている。
　
Ｇ．「【００２０】
　
ゲートウェイ装置（M2M-GW）１０は，ホームゲートウェイやスマートフォン等であり，デバイス装置１２に対して接続設定（通信設定）を行う親機を構成している。
　デバイス装置（M2Mデバイス）１２は，近距離無線通信デバイス装置（Bluetooth（登録商標）や無線LANデバイス等であり
　ゲートウェイ装置（親機）１０は設定プロファイル作成部１１を備えることで，デバイス装置１２の接続設定を行うに際しての各種情報を作成するように構成されている。」
　
Ｈ．「【００３０】
　上述した事前準備が行われたデバイス装置設定システムでは，
ゲートウェイ装置（M2M-GW1）１０ａにより接続設定が行われたデバイス装置１２との接続設定が未設定のゲートウェイ装置（M2M-GW2）１０ｂが，デバイス装置１２から発する信号を受信する既存技術でデバイス装置１２を検知する
【００３１】
　続いて，デバイス装置１２の検知を受け，デバイス装置１２に対する接続設定が未設定であるゲートウェイ装置（M2M-GW2）１０ｂを使用するユーザが，デバイス装置１２との接続設定を希望する場合，ユーザの入力による接続設定の処理操作について説明する。
【００３２】
　デバイス装置１２を検知したゲートウェイ装置（M2M-GW2）１０ｂは，検知したデバイス装置１２の設定プロファイルが自身に存在しない場合（対象のデバイス装置１２の設定が自身に無い場合），管理サーバ２に対して設定プロファイルの取得要求を，自身のグループＩＤ及びM2Mデバイス情報とともに送信する（ステップＳ９）。
【００３３】
　管理サーバ２は，デバイス装置１２に対応する設定プロファイルをゲートウェイ装置（M2M-GW2）１０ｂに応答する（ステップＳ１０）。
【００３４】
　設定プロファイルを受信したゲートウェイ装置（M2M-GW2）１０ｂは，自身に設定プロファイルを適用する（ステップＳ１１）。例えばBluetooth（登録商標）で考えた場合，ゲートウェイ装置（M2M-GW1）１０ａとゲートウェイ装置（M2M-GW2）１０ｂのそれぞれがデバイス装置１２とペアリングが完了した状態となる。
【００３５】
　デバイス装置１２の中には，複数のゲートウェイ装置１０と同時に通信できないものが多く含まれるため，デバイス装置１２と通信するゲートウェイ装置をゲートウェイ装置（M2M-GW1）１０ａからゲートウェイ装置（M2M-GW2）１０ｂに切替えるために，ゲートウェイ装置（M2M-GW2）１０ｂは，デバイス装置１２の通信先の切替要求を送信する（ステップＳ１２）。
【００３６】
　管理サーバ２は，自身のデータベースより対象のデバイス装置１２が，現在，ゲートウェイ装置（M2M-GW1）１０ａと通信中（利用者Ｚ）であることを特定し，通信中のゲートウェイ装置（M2M-GW1）１０ａに，切替要求を送信する（ステップＳ１３）。
　ゲートウェイ装置（M2M-GW1）１０ａと通信中であることを特定した場合，利用者Ｙのゲートウェイ装置（M2M-GW1）１０ｂに対しては，図３に示すような画面（利用者Ｚが使用中）が表示され，切替処理を行って良いかの確認が行われ，「使用する」を選択した場合に切替要求が実行され，ゲートウェイ装置（M2M-GW1）１０ａへ切替要求が送信される。
　切替要求を受信したゲートウェイ装置（M2M-GW1）１０ａは，図４に示すように，ユーザ（利用者Ｚ）に対して利用者Ｙが切換要求を希望している旨のメッセージのポップアップ等を用いた確認（ＯＫボタンそ選択）により，通信中のデバイス装置１２との通信をゲートウェイ装置（M2M-GW2）１０ｂに切り替えることを決める。
【００３７】
　ゲートウェイ装置（M2M-GW1）１０ａ及びゲートウェイ装置（M2M-GW2）１０ｂは，通信中の対象デバイス装置の接続先をゲートウェイ装置（M2M-GW1）１０ａからゲートウェイ装置（M2M-GW2）に切り替える通信制御を行う（ステップＳ１４）。
　この際，デバイス装置１２には現在の各標準化団体が策定した標準に従った振舞を行うことを想定し，切替はゲートウェイ装置１０（及び管理サーバ２）のみで行う。
　なお，親機側から通信を切断する手順は，Bluetooth（登録商標），無線LANともに標準化団体により用意されている。」
　
Ｉ．「
」
　
Ｊ．「
」
　
（ウ）本願の第１国出願前に既に公知である，特開２００９−０１０６７３号公報（２００９年１月１５日公開，以下，これを「周知文献」という）には，関連する図面と共に，次の事項が記載されている。
　
Ｋ．「【００２５】
　機器制御部２４０は，ユーザ入力部２１１あるいは機器操作要求受信部２２１より機器操作要求に係る情報を受け取り，本機器操作要求に従って，ネットワーク対応機器２００の制御を行う。具体的には，ネットワーク対応機器２００がＤＶＤデコーダーである場合の録画や視聴操作に係る一連の機器制御や，エアコンである場合の電源起動などである。ここで，本実施の形態においては，機器操作要求受信部２２１からの操作要求に基づいて機器制御が行われるとしたが，ネットワーク対応機器２００に直接触れられるユーザがユーザ入力部２１１によって操作を行う場合には，機器制御部２４０はユーザ入力部２１１からの操作要求に基づいて機器制御が行われることになる。」
　
Ｌ．「【００３６】
　まず，アクセス権判定部１４３は，ネットワーク送受信部１５０からアクセス権判定要求５１０を受信し，当該アクセス権判定要求５１０に対応するアクセス権情報をアクセス権情報生成部１４２に問い合わせる。
【００３７】
　アクセス権情報生成部１４２は，アクセス権判定要求５１０の発行元ユーザの電話番号（５１２）をキーとして，電話帳記憶部１３２に格納されている電話帳情報データベース５０１を検索する。本例の場合，電話番号０９０−ｙｙｙｙ−ｘｘｘｘを有する電話帳情報５０３が発見される。
【００３８】
　次に，アクセス権情報生成部１４２は，アクセス権判定要求の機器名および操作（５１１）をキーとして，アクセス権設定部１４１に格納されているアクセス権データベース５０２を検索する。本例の場合，機器名がＤＶＤレコーダであり操作が録画であるアクセス権情報５０４が発見される。」
　
Ｍ．「【００４５】
　機器操作用携帯電話６００は，ＤＶＤレコーダ６１０へ機器操作要求６２１を送信する。ＤＶＤレコーダ６１０の機器操作要求受信部２２１は，機器操作要求６２１を受信し，管理者情報記憶部２３０に格納された管理者情報データベース６３１より，本操作要求に対するアクセス権を問い合わせるべき携帯電話のメールアドレス６３２を取得し，本メールアドレスを有する携帯電話６５０へ機器操作要求６２１を送信する。
【００４６】
　前記メールを受信した携帯電話６５０は，図４にて示した手順に従ってアクセス権の判定結果を生成し，生成した判定結果をＤＶＤレコーダ６１０へ返信する。」
　
Ｎ．「
」
　
Ｏ．「
」
　
ウ．引用文献１に記載の発明
（ア）上記Ａの「家電情報共有システム１は，管理装置１０と，携帯端末２０と，携帯端末２１と，ＲＦＩＤタグ４０が実装された家電３０とを備える。携帯端末２０と携帯端末２１とは，同じ構成であり，例えば，近距離無線通信機能が搭載されたモバイル機器（例えば，携帯電話あるいはスマートフォンなど）である」という記載から，引用文献１には，
“管理装置１０，携帯端末２０，及び，携帯端末２１を含む，家電情報共有システム”が記載されていることが読み取れる。
　
（イ）上記Ｂの「携帯端末２１は，家電３０から機器ＩＤを受信すると，家電登録のために，管理装置１０へ家電登録要求とともに機器ＩＤを送信する」という記載から，引用文献１においては，
“携帯端末２１は，家電３０から機器ＩＤを受信する受信部と，管理装置１０へ前記機器ＩＤと，家電登録要求とを送信する送信部を有する”ものであることが読み取れる。
　
（ウ）上記Ｂの「家電３０に対し，携帯端末２０を持つユーザＡが既にマスターとして登録されており」という記載，及び，同じく，上記Ｂの「管理装置１０の家電情報管理部１０３は，制御部１０２を介して携帯端末２１から家電登録要求を受信すると，家電情報リストを参照し，受信した機器ＩＤの家電に対してマスターが登録されているか否かを判断する」という記載と，上記Ｆの【図２１】に開示の事項から，引用文献１には，
“管理装置１０の家電情報管理部１０３は，家電情報リストに携帯端末２０のユーザＡのユーザＩＤと，家電３０の機器ＩＤと，前記ユーザＡが，前記家電３０のマスタであるという情報を登録する”ものであることが読み取れる。
　
（エ）上記（ウ）において引用した上記Ｂの記載と，上記Ｂの「ここでは，既にユーザＡがマスターとして登録されているため（Ｓ４１０５でＹ），家電情報管理部１０３は，マスターへ家電の登録許可を確認する」という記載，同じく，上記Ｂの「家電情報管理部１０３は，家電の登録依頼と，登録依頼をしているユーザＢの識別情報とを携帯端末２０へ送信する」という記載，及び，同じく，上記Ｂの「ユーザの識別情報は，ユーザのユーザＩＤでもよいし，ユーザのメールアドレスなどでもよい」という記載から，引用文献１においては，
“管理装置１０の家電情報管理部１０３は，家電登録要求と機器ＩＤを受信すると，家電情報リストを参照し，受信した機器ＩＤの家電に対してマスターが登録されているか否かを判断し，マスターであるユーザＡの携帯端末２０へ，家電の登録依頼と，登録依頼をしているユーザＢのユーザＩＤとを送信する”ものであることが読み取れる。
　
（オ）上記Ｂの「携帯端末２０の制御部２０３は，ユーザＡがユーザＢの家電登録を許可すると判断した場合（Ｓ４１１０でＹ），登録許可を登録依頼結果として管理装置１０へ通知する」という記載，及び，同じく，上記Ｂの「当該登録依頼結果が登録を許可することを示す場合（Ｓ４１１０でＹ），管理装置１０の家電情報管理部１０３は，ユーザＢの家電３０を家電情報リストに登録する」という記載から，引用文献１においては，
“管理装置１０の家電情報管理部１０３は，携帯端末２０から登録依頼の結果としての登録許可を受信すると，ユーザＢの家電３０を家電情報リストに登録する”ものであることが読み取れる。
　
（カ）以上，上記（ア）〜上記（オ）において検討した事項から，引用文献１には，次の発明（以下，これを「引用発明」という）が記載されているものと認める。
　
「管理装置１０，携帯端末２０，及び，携帯端末２１を含む，家電情報共有システムであって，
　携帯端末２１は，家電３０から機器ＩＤを受信する受信部と，管理装置１０へ前記機器ＩＤと，家電登録要求とを送信する送信部を有し，
　管理装置１０の家電情報管理部１０３は，家電情報リストに携帯端末２０のユーザＡのユーザＩＤと，家電３０の機器ＩＤと，前記ユーザＡが，前記家電３０のマスタであるという情報を登録し，
　前記管理装置１０の家電情報管理部１０３は，前記家電登録要求と機器ＩＤを受信すると，家電情報リストを参照し，受信した前記機器ＩＤの家電に対してマスターが登録されているか否かを判断し，マスターであるユーザＡの携帯端末２０へ，家電の登録依頼と，登録依頼をしているユーザＢのユーザＩＤとを送信し,
　前記管理装置１０の家電情報管理部１０３は，前記携帯端末２０から登録依頼の結果としての登録許可を受信すると，ユーザＢの家電３０を家電情報リストに登録する，システム。」
　
エ．本件補正発明と引用発明との対比
（ア）引用発明における「管理装置１０」，「携帯端末２０」，「携帯端末２１」，及び，「家電３０」が，それぞれ，本件補正発明における「サーバ」，「第２端末」，「端末」，及び，「目標機器」に相当する。
　
（イ）引用発明における「機器ＩＤ」が，
　本件補正発明における「目標機器の機器識別子」に相当するので，
　引用発明における「家電３０から機器ＩＤを受信する受信部」と，
　本件補正発明における「目標機器がブロードキャストした通知メッセージであって，前記目標機器の機器識別子が付加された通知メッセージを受信するための受信モジュール」とは，
“目標機器の機器識別子を受信する受信手段”を有する点で共通する。
　
（ウ）引用発明において，「家電登録要求」とは，「携帯端末２１」と，「家電３０」とを結び付ける，即ち，「バインディング」するための「要求」と言い得るものであるから，
　引用発明における「管理装置１０へ前記機器ＩＤと，家電登録要求とを送信する送信部」と，
　本件補正発明における「サーバに前記目標機器の機器識別子及びローカルのログインアカウントの第１アカウント識別子が付加された機器バインディング要求を送信するための送信モジュール」とは，
“サーバに目標機器の機器識別子が付加された機器バインディング要求を送信する送信手段”である点で共通する。
　
（エ）引用発明における「ユーザＡのユーザＩＤ」，「ユーザＢのユーザＩＤ」は，上記Ｄに引用した引用文献１の【図２３】にも開示されているように，「ログイン」時に用いられるものであるから，それぞれ，
　本件補正発明における「第２アカウント識別子」，「第１アカウント識別子」に相当し，
　引用発明において，「管理装置１０」の「家電情報リスト」に「登録」されている「携帯端末２０のユーザＡのユーザＩＤと，家電３０の機器ＩＤと，前記ユーザＡが，前記家電３０のマスタであるという情報」は，
“携帯端末２０のユーザＡが，家電３０の主たる制御者であることを示す情報”に他ならなず，当該「情報」は，「携帯端末２１」の「ユーザＢ」が，「家電登録要求」を送信する以前から，「家電情報リスト」に「登録」されているものであるから，
　引用発明における「管理装置１０の家電情報管理部１０３は，家電情報リストに携帯端末２０のユーザＡのユーザＩＤと，家電３０の機器ＩＤと，前記ユーザＡが，前記家電３０のマスタであるという情報を登録し」が，
　本件補正発明における「サーバ」が，「目標機器の機器識別子と，前記目標機器がバインディングしたメイン制御アカウントに対応する第２アカウント識別子との間のバインディング関係を予め保存する」に相当する。
　
（オ）引用発明における「管理装置１０の家電情報管理部１０３は，前記家電登録要求と機器ＩＤを受信すると，家電情報リストを参照し，受信した前記機器ＩＤの家電に対してマスターが登録されているか否かを判断し，マスターであるユーザＡの携帯端末２０へ，家電の登録依頼と，登録依頼をしているユーザＢのユーザＩＤとを送信し」と，
　本件補正発明における「サーバでは，受信した前記機器バインディング要求に付加された前記目標機器の機器識別子に基づいて，前記目標機器にバインディングされたメイン制御アカウントに対応する第２アカウント識別子を特定し，前記第２アカウント識別子に対応するアカウントを用いてログインした第２端末に，前記第１アカウント識別子及び前記機器識別子が付加されたバインディング問合せメッセージを送信し」とは，
“受信した前記機器バインディング要求に付加された前記目標機器の機器識別子に基づいて，前記目標機器にバインディングされたメイン制御アカウントに対応する第２アカウント識別子を特定し，第２端末に，前記第１アカウント識別子及び前記機器識別子が付加されたバインディング問合せメッセージを送信する”点で共通する。
　
（カ）引用発明において，「携帯端末２０から登録依頼の結果としての登録許可を受信すると，ユーザＢの家電３０を家電情報リストに登録する」ことにおいて，「家電３０」は，「ユーザＡ」が，「マスター」として既に登録されている状態での「ユーザＢ」の登録であるから，当該「ユーザＢ」は，“サブマスター”として登録されると言い得るものである。
　したがって，引用発明における「携帯端末２０から登録依頼の結果としての登録許可を受信すると，ユーザＢの家電３０を家電情報リストに登録する」ことが，
　本件補正発明における「バインディング問合せメッセージに対応する，前記第２端末が送信した第１確認メッセージを受信した場合，前記第１アカウント識別子に対応するアカウントを前記目標機器の補助制御アカウントとして記録し」に相当する。
　
（キ）そして，以上に検討した事項から，引用発明における「家電情報共有システム」も，「ユーザＩＤ」と，「家電」との間の「制御関係」を管理するものであるといえるので，
　以上（ア）〜（キ）において検討した事項から，本件補正発明と，引用発明との，一致点，及び，相違点は，次のとおりである。
　
［一致点］
　目標機器の機器識別子を受信する受信手段と，
　サーバに目標機器の機器識別子が付加された機器バインディング要求を送信する送信手段と，を備え，
　前記サーバは，目標機器の機器識別子と，前記目標機器がバインディングしたメイン制御アカウントに対応する第２アカウント識別子との間のバインディング関係を予め保存し，受信した前記機器バインディング要求に付加された前記目標機器の機器識別子に基づいて，前記目標機器にバインディングされたメイン制御アカウントに対応する第２アカウント識別子を特定し，第２端末に，前記第１アカウント識別子及び前記機器識別子が付加されたバインディング問合せメッセージを送信し，前記バインディング問合せメッセージに対応する，前記第２端末が送信した第１確認メッセージを受信した場合，前記第１アカウント識別子に対応するアカウントを前記目標機器の補助制御アカウントとして記録する，端末。
　
［相違点１］
“目標機器の機器識別子を受信する受信手段”に関して，
　本件補正発明においては，「目標機器がブロードキャストした通知メッセージであって，前記目標機器の機器識別子が付加された通知メッセージを受信する」ものであるのに対して，
　引用発明においては，「ブロードキャストした通知メッセージ」については，特に，言及されていない点。
　
「相違点２」
　本件補正発明においては，「目標機器のバインディング提示を表示するための表示モジュール」を有するものであるのに対して，
　引用発明においては，「表示モジュール」については，特に言及されていない点。
　
［相違点３］
“送信手段”について，
　本件補正発明においては，「前記目標機器に対するバインディング命令を受信した場合」に，「機器バインディング要求を送信するための送信モジュール」であるのに対して，
　引用発明においては，「前記目標機器に対するバインディング命令を受信した場合」といった条件についての言及がない点。
　
［相違点４］
“バインディング要求”に関して，
　本件補正発明においては，「前記目標機器に対するバインディング命令を受信した場合」，「サーバに前記目標機器の機器識別子及びローカルのログインアカウントの第１アカウント識別子が付加され」ているのに対して，
　引用発明においては「ユーザＢ」の「ユーザＩＤ」を付加する点の言及がない点。
　
［相違点５］
　本件補正発明においては，「第２アカウント識別子に対応するアカウントを用いてログインした第２端末に，前記第１アカウント識別子及び前記機器識別子が付加されたバインディング問合せメッセージを送信」するものであるのに対して，
　引用発明においては，「ログイン」した「携帯端末２０」に，「登録依頼」を送信することは，特に，言及されていない点
　
［相違点６］
　本件補正発明においては，「機器バインディング要求内には，前記目標機器に対する複数の制御権限の中の少なくとも一つの制御権限がさらに付加されており，前記バインディング問合せメッセージ内には，前記目標機器に対する複数の制御権限の中の少なくとも一つの制御権限がさらに付加されている」のに対して，
　引用発明においては，「制御権限」について，特に，言及されていない点。
　
オ．相違点についての当審の判断
（ア）［相違点１］について
　上記Ｇに引用した，引用文献２の「ゲートウェイ装置（M2M-GW）１０は，ホームゲートウェイやスマートフォン等であり，デバイス装置１２に対して接続設定（通信設定）を行う親機を構成している。
　デバイス装置（M2Mデバイス）１２は，近距離無線通信デバイス装置（Bluetooth（登録商標）や無線LANデバイス等であり」という記載，同じく,上記Ｈに引用した，引用文献２の「ゲートウェイ装置（M2M-GW1）１０ａにより接続設定が行われたデバイス装置１２との接続設定が未設定のゲートウェイ装置（M2M-GW2）１０ｂが，デバイス装置１２から発する信号を受信する既存技術でデバイス装置１２を検知する」という記載から明らかな様に，「デバイス装置」（引用発明の「家電３０」，本件補正発明における「目標機器」に相当）が，「発」（本件補正発明における「ブロードキャスト」に相当）する“相手を識別し得る情報を含む信号”を，「ゲートウェイ装置」（引用発明における「携帯端末２１」，本件補正発明における「第１端末」に相当）が受信するような構成は，本願の第１国出願前に，当業者には広く知られた技術事項であるから，引用発明においても，「携帯端末２１」が，「家電３０」が「ブロードキャスト」する“ＩＤ等を含む信号”を受信するよう構成することは，当業者が適宜なし得る事項である。
　よって，［相違点１］は，格別のものではない。
　
（イ）［相違点２］，及び，［相違点３］について
　引用発明における「携帯端末２１」は，上記Ａに「携帯端末２０と携帯端末２１とは，同じ構成であり，例えば，近距離無線通信機能が搭載されたモバイル機器（例えば，携帯電話あるいはスマートフォンなど）」と記載され，「ユーザＢ」が，操作するＵＩと，操作画面とを有するものであることは明らかであるから，引用発明においても，「携帯端末２１」の画面上に，「家電３０」から情報を受信した際，当該「家電３０」を登録するか否かといった指示情報を表示し，それに基づいて，「ユーザＢ」が，「携帯端末２１」のＵＩを操作して，「管理装置１０」への「家電登録要求」を入力するよう構成することは，当業者が適宜なし得る事項である。
　よって，［相違点２］，及び，［相違点３］は，格別のものではない。
　
（ウ）［相違点４］について
　引用発明においては，「ユーザＩＤ」は，「ログイン」時に送信していることを前提としているが，各要求の要求者を識別するために，「ユーザＩＤ」と，「機器ＩＤ」とをセットで送信するよう構成することは，先行技術を示すまでもなく，当業者には，周知の技術事項であるから，引用発明においても，「ユーザＩＤ」と「機器ＩＤ」とを同時に送信するよう構成することは，当業者が適宜なし得る事項である。
　よって，［相違点４］は，格別のものではない。
　
（エ）［相違点５］について
　「クライアント／サーバ」に関する技術分野において，「サーバ」から，あるサービスを受給する「クライアント」であって，当該「クライアント」の許可が得られれば，別の「クライアント」が新たに当該サービスが受給できる場合に，当該「クライアント」に受給許可要求を送ることは，当業者に広く知られた技術事項であるから，引用発明においても，「ログイン」した，「携帯端末２０」に対して，「家電登録要求」を送信するよう構成することは，当業者が適宜し得る事項である。
　よって，［相違点５］は，格別のものではない。
　
（オ）［相違点６］について
　上記Ｎに引用した，周知文献の【図４】に開示されてもいるように，ユーザが，“機器の複数の操作に対するアクセス権”を有するようにすることは，本願の第１国出願前に当業者には周知の技術事項であり，周知文献における“機器の複数の操作に対するアクセス権”が，本件補正発明における「複数の制御権限」に相当する。
　周知文献には，上記Ｍに引用した記載，及び，上記Ｏに引用した【図６】に開示された事項にあるように，「操作要求に対するアクセス権を問い合わせる」点についても言及されていて，引用発明と，周知文献に記載の技術とは，家電の制御関係の管理という点で，同一の技術分野に属し，家電の管理者を特定して管理の承認を求めるという同一の機能を有するものであるから，引用発明において，周知技術の様に，家電登録要求に，複数の操作に対するアクセス権の内の少なくとも１つを含ませるように設定することは，当業者が適宜なし得る事項である。
　よって，［相違点６］は，格別のものではない。
　
（カ）以上，上記（ア）〜（オ）において検討したとおり，［相違点１］〜［相違点６］は，何れも格別のものではなく，そして，本件補正発明の構成によってもたらされる効果も，当業者であれば当然に予測可能なものに過ぎず格別なものとは認められない。
　
　よって，本件補正発明は，引用発明，引用文献２に記載の技術，及び，周知文献に記載の周知技術に基づいて当業者が容易に発明をすることができたものであるので，特許法２９条２項の規定により特許出願の際，独立して特許を受けることができない。
　
３．補正却下むすび
　したがって，本件手続補正は，特許法１７条の２第６項において準用する同法１２６条７項の規定に違反するので，同法１５９条１項の規定において読み替えて準用する同法５３条１項の規定により却下すべきものである。
　
　よって，補正却下の決定の結論のとおり決定する。
　
第３．本願発明について
　平成３０年７月５日付けの手続補正は，上記のとおり却下されたので，本願の請求項２１に係る発明（以下，これを「本願発明」という）は，平成２９年１０月２５日付けの手続補正により補正された特許請求の範囲の請求項２１に記載された，上記「第２．平成３０年７月５日付けの手続補正の却下の決定」の「１．補正の内容」において，補正前の請求項２１として引用した，次のとおりのものである。
　
「目標機器がブロードキャストした通知メッセージであって，前記目標機器の機器識別子が付加された通知メッセージを受信するための受信モジュールと，
　前記目標機器のバインディング提示を表示するための表示モジュールと，
　前記目標機器に対するバインディング命令を受信した場合，目標機器の機器識別子と，前記目標機器がバインディングしたメイン制御アカウントに対応する第２アカウント識別子との間のバインディング関係を予め保存するサーバに前記目標機器の機器識別子及びローカルのログインアカウントの第１アカウント識別子が付加された機器バインディング要求を送信するための送信モジュールと
　を備え，
　前記サーバでは，
　受信した前記機器バインディング要求に付加された前記目標機器の機器識別子に基づいて，前記目標機器にバインディングされたメイン制御アカウントに対応する第２アカウント識別子を特定し，
　前記第２アカウント識別子に対応するアカウントを用いてログインした第２端末に，前記第１アカウント識別子及び前記機器識別子が付加されたバインディング問合せメッセージを送信し，
　前記バインディング問合せメッセージに対応する，前記第２端末が送信した第１確認メッセージを受信した場合，前記第１アカウント識別子に対応するアカウントを前記目標機器の補助制御アカウントとして記録することを特徴とする端末。」
　
第４．原査定の拒絶の理由
　原査定の拒絶の理由は，この出願の請求項２１に係る発明は，本願の優先権主張の日前に頒布された又は電気通信回線を通じて公衆に利用可能となった下記の引用文献１に記載された発明及び引用文献２〜引用文献４に記載された事項に基づいて，その出願前にその発明の属する技術の分野における通常の知識を有する者が容易に発明をすることができたものであるから，特許法２９条２項の規定により特許を受けることができない，というものである。
　
１．再公表特許第２０１３／１１１２４４号
２．特開２０１４−１６７６９４号公報
３．特開２００２−２９１０５７号公報
４．特開２０１２−３４９１号公報
　
第５．引用刊行物に記載の発明
　上記「第２．平成３０年７月５日付けの手続補正の却下の決定」の「２．補正の適否」おける「（２）独立特許要件について」の「イ．引用文献に記載の事項」において，引用文献１として引用した，再公表特許第２０１３／１１１２４４号には，上記「第２．平成３０年７月５日付けの手続補正の却下の決定」の「２．補正の適否」おける「（２）独立特許要件について」の「ウ．引用文献１に記載の発明」において認定したとおりの，次の引用発明が記載されている。
　
「管理装置１０，携帯端末２０，及び，携帯端末２１を含む，家電情報共有システムであって，
　携帯端末２１は，家電３０から機器ＩＤを受信する受信部と，管理装置１０へ前記機器ＩＤと，家電登録要求とを送信する送信部を有し，
　管理装置１０の家電情報管理部１０３は，家電情報リストに携帯端末２０のユーザＡのユーザＩＤと，家電３０の機器ＩＤと，前記ユーザＡが，前記家電３０のマスタであるという情報を登録し，
　前記管理装置１０の家電情報管理部１０３は，前記家電登録要求と機器ＩＤを受信すると，家電情報リストを参照し，受信した前記機器ＩＤの家電に対してマスターが登録されているか否かを判断し，マスターであるユーザＡの携帯端末２０へ，家電の登録依頼と，登録依頼をしているユーザＢのユーザＩＤとを送信し,
　前記管理装置１０の家電情報管理部１０３は，前記携帯端末２０から登録依頼の結果としての登録許可を受信すると，ユーザＢの家電３０を家電情報リストに登録する，システム。」
　
第６．本願発明と引用発明との対比
　本願発明は，本件補正発明から，
「機器バインディング要求内には，前記目標機器に対する複数の制御権限の中の少なくとも一つの制御権限がさらに付加されており，前記バインディング問合せメッセージ内には，前記目標機器に対する複数の制御権限の中の少なくとも一つの制御権限がさらに付加されている」という構成を取り除いたものであるから，
　本願発明と，引用発明との，一致点，及び，相違点は，次のとおりである。
　
［一致点］
　　目標機器の機器識別子を受信する受信手段と，
　サーバに目標機器の機器識別子が付加された機器バインディング要求を送信する送信手段と，を備え，
　前記サーバは，目標機器の機器識別子と，前記目標機器がバインディングしたメイン制御アカウントに対応する第２アカウント識別子との間のバインディング関係を予め保存し，受信した前記機器バインディング要求に付加された前記目標機器の機器識別子に基づいて，前記目標機器にバインディングされたメイン制御アカウントに対応する第２アカウント識別子を特定し，第２端末に，前記第１アカウント識別子及び前記機器識別子が付加されたバインディング問合せメッセージを送信し，前記バインディング問合せメッセージに対応する，前記第２端末が送信した第１確認メッセージを受信した場合，前記第１アカウント識別子に対応するアカウントを前記目標機器の補助制御アカウントとして記録する，端末。
　
［相違点ａ］
“目標機器の機器識別子を受信する受信手段”に関して，
　本願発明においては，「目標機器がブロードキャストした通知メッセージであって，前記目標機器の機器識別子が付加された通知メッセージを受信」するものであるのに対して，
　引用発明においては，「ブロードキャストした通知メッセージ」については，特に，言及されていない点。
　
「相違点ｂ」
　本願発明においては，「目標機器のバインディング提示を表示するための表示モジュール」を有するものであるのに対して，
　引用発明においては，「表示モジュール」については，特に言及されていない点。
　
［相違点ｃ］
“送信手段”について，
　本願発明においては，「前記目標機器に対するバインディング命令を受信した場合」に，「機器バインディング要求を送信するための送信モジュール」であるのに対して，
　引用発明においては，「前記目標機器に対するバインディング命令を受信した場合」といった条件についての言及がない点。
　
［相違点ｄ］
“バインディング要求”に関して，
　本願発明においては，「前記目標機器に対するバインディング命令を受信した場合」，「サーバに前記目標機器の機器識別子及びローカルのログインアカウントの第１アカウント識別子が付加され」ているのに対して，
　引用発明においては「ユーザＢ」の「ユーザＩＤ」を付加する点の言及がない点。
　
［相違点ｅ］
　本願発明においては，「第２アカウント識別子に対応するアカウントを用いてログインした第２端末に，前記第１アカウント識別子及び前記機器識別子が付加されたバインディング問合せメッセージを送信」するものであるのに対して，
　引用発明においては，「ログイン」した「携帯端末２０」に，「登録依頼」を送信することは，特に，言及されていない点
　
第７．相違点についての当審の判断
　本願発明と，引用発明との［相違点ａ］〜［相違点ｅ］は，本件補正発明と，引用発明との［相違点１］〜［相違点５］と同じものであるから，前記「第２．平成３０年７月５日付けの手続補正の却下の決定」の「２．補正の適否」おける「（２）独立特許要件について」の「オ．相違点についての当審の判断」において検討したとおり，［相違点ａ］〜［相違点ｅ］は，格別のものではない。
　そして，本願発明の構成によってもたらされる効果も，当業者であれば当然に予測可能なものに過ぎず格別なものとは認められない。
　
第８．むすび
　したがって，本願発明は，引用発明，及び，引用文献２に記載の技術に基づいて当業者が容易に発明をすることができたものであるので，特許法２９条２項の規定により特許を受けることができない。
　
　よって，結論のとおり審決する。